(57)【要約】      （修正有）【課題】全方位におけるバランス調整を可能とする、木製全方位ヤジロベエを提供する。【解決手段】木製中央バランサーＡ側面より両椀とする湾曲状のアーム（Ｃ１、Ｃ２）を伸ばし、その湾曲アーム（Ｃ１、Ｃ２）に木製バランサー（Ｂ１、Ｂ２）を貫通させ、左右のバランス調整キャラクターとして配し、左右可動Ｆによって平衡調整をなし、更なる前後の均衡調整機能として、木製中央バランサーＡ左右側面に取り付けた両椀湾曲アーム（Ｃ１、Ｃ２）を、左右個別の回転可動Ｅとすることにより、木製バランス玩具における前後左右の全方位バランスの完全調整を可能とした。【選択図】図１
0003138641.tif 000002
【実用新案登録請求の範囲】
【請求項１】
中央木製バランサーＡの側面に両椀として備えた湾曲アーム（Ｃ１、Ｃ２）に、木製バランサー（Ｂ１、Ｂ２）を貫通させてなる木製バランス玩具において、湾曲アーム（Ｃ１、Ｃ２）の形状を所定の半径を有する弾性湾曲形とし、木製中央バランサーＡへの差込孔と木製バランサー（Ｂ１、Ｂ２）への貫通孔とを、所定の孔径を有する直孔としたことを特徴とする木製全方位ヤジロベエ。
【請求項２】
木製中央バランサーＡ左右側面の差込孔に取り付けた湾曲アーム（Ｃ１、Ｃ２）を、左右個別の回転可動Ｅとしたことを特徴とする請求項１に記載する木製全方位ヤジロベエ。
【考案の詳細な説明】
【技術分野】
【０００１】
本考案は、木製バランス玩具における加工技術及び組み合わせに関する。
【背景技術】
【０００２】
左右の平衡と前後の均衡によって自立するバランス玩具にあっては、構成する素材の比重及び密度の均一性を基本条件とすることで、設計プランニング時の各構成部品の形状及び組み合わせにより、左右の平衡性と前後の均衡性が設定可能であり、中央キャラクターのある範囲内の直立性は確保される。
尚、左右のバランス調整を可動操作とする予備機能の設計プランの追加も自在であり、事前の企画デザイン及びサイズの任意設定により規格製品の生産が容易となる。
【０００３】
しかし、木製品においては、成型される構成部品のデザイン及び外見が同一であっても、その密度の均一性及び乾燥や比重等のバランス要素に関する個々の条件が著しく異なるため、バランス玩具の規格生産には不適性素材として除外されることが多く、規格生産されるバランス玩具の多くは、その主要部品の構成素材に金属や合成樹脂等の比重と密度が均一性を有する素材が多用されている。
【０００４】
環境保全と自然志向の社会的高まりのなかで、自然素材からなる木製玩具が幼児用の情操教育教材として注目され、また、癒し空間のインテリアキャラクターとしての社会的要求が多くなり、その要求に対応すべく様々な木製玩具が復活し開発されているが、木製玩具品のなかでもバランス玩具に関しては、上述する素材特性及び加工製作における不安定不適性の諸条件を理由に、社会的ニーズに逆らって敬遠されている。
【０００５】
尚、簡易玩具として自然のドングリ（木の実）を利用したヤジロベエ玩具も作成可能であるが、これは未乾燥（生材）の条件下で形状が同一の場合において、その比重及び内部の密度は同程度となってバランス調整は比較的容易となる。
しかし、時間の経過と共に乾燥が進んで個々の不均一性が表れるに伴い、バランスの微調整が困難となり、中央キャラクターの直立が不可となってくる。
【０００６】
木製バランス玩具の場合、全方位のバランス調整により中央キャラクターが直立して安定自立するためには、上述する素材の不均一特性として個々の基本的素材条件が異なるため、他の素材構成のバランス玩具にみられる左右調整用の固体を配した平衡調整機能に加え、前後の均衡調整機能を追加することが不可欠要素となる。
【考案の開示】
【考案が解決しようとする課題】
【０００７】
よって、本件の重要課題であり自然木製品の特徴である個々の不均一性を、主要部材の加工と組み合わせの構造によって、全方位におけるバランス調整機能を有し、木製の中央キャラクターが安定直立する木製バランス玩具となし、自然素材がもたらす安らぎと癒しを与えると共に木工製品の規格製品化を促し、玩具の基本条件である衛生上の安全性についても、構成主要素材を木材及び竹材とに限定することで静電気を抑制し、空気中の有害ダストを吸着しない等の付加価値を有する木製玩具による全方位ヤジロベエを提供する。
【課題を解決するための手段】
【０００８】
請求項１記載の木製全方位ヤジロベエおいて、木製中央バランサーＡは中心最下部に錐状の突起からなる自立支点Ｄを有する木製キャラクターであって、その左右側面の所定位置に、木加工細棒及び竹ヒゴを素材として所定の半径を有して弾性湾曲形状を成す湾曲アーム（Ｃ１、Ｃ２）を両椀として備え、その左右の湾曲アーム（Ｃ１、Ｃ２）に木製キャラクターからなる木製バランサー（Ｂ１、Ｂ２）をそれぞれ貫通させ、左右バランスの調整可動固体として配する。図１参照
【０００９】
前項の各孔加工においては、木製中央バランサーＡ及び木製バランサー（Ｂ１、Ｂ）に施す差込孔と貫通孔の直径を、何れの場合もその可動調整時に、弾性湾曲アーム（Ｃ１、Ｃ２）の弧に係わる適度な抵抗を生む範囲に、所定の孔径と直孔とにする事により可動調整位置の安定が図れる。図２参照
【００１０】
全方位調整可動おいては、木製中央バランサーＡ側面左右の所定位置に、湾曲アーム（Ｃ１、Ｃ２）の差込孔として、所定の深さと孔径を有する直孔を個別に施すことで、湾曲アーム（Ｃ１、Ｃ２）は適度な負荷を受けつつ左右個別に回転可動Ｅをなし、木製バランサー（Ｂ１、Ｂ２）の所定位置に湾曲アーム（Ｃ１、Ｃ２）の貫通孔として、所定の径による直孔をそれぞれ施すことで、湾曲アーム（Ｃ１、Ｃ２）上における木製バランサー（Ｂ１、Ｂ２）は適度の負荷を受けつつ左右可動Ｆをなす。
【００１１】
請求項２記載の木製全方位ヤジロベエにおいて、木製バランサー（Ｂ１、Ｂ２）の左右可動Ｆによってなされる平衡バランスの調整機能に加え、更なる前後の均衡調整機能として、木製中央バランサーＡの左右側面に両椀として取り付けられた湾曲アーム（Ｃ１、Ｃ２）を、左右個別の回転可動Ｅとすることによって、湾曲アーム上に配された木製バランサー（Ｂ１、Ｂ２）が前後へ振られ、木製中央バランサーＡの重心位置調整の任意操作が可能となり、前後左右の全方位におけるバランス調整機能が完備され、自立支点Ｄによる木製ヤジロベエの直立安定がなされる。
【００１２】
上述する調整可動時の適度な負荷により各可動調整位置の安定確保が容易となり、個性素材と意匠形状の組み合わせにおいても安定した調整能力を有し、木製バランス玩具の欠点である加工部材個々の素材特性による不安定性の課題が解消され、全方位における完全調整を可能とする木製バランス玩具の規格製品化が実現する。
【考案の効果】
【００１３】
本考案の木製全方位ヤジロベエは、多くの無機質系に囲まれた現在の生活環境において、人と環境とに負荷を与えない自然素材の玩具として、人々に安らぎと癒し効果を提供すると共に、自然素材の特性により空気中の有害ダクトを吸着せず、玩具の基本条件である衛生上の安全性が確保される。
又、自然（森林）保護の見地からも環境保全への配慮とその啓蒙を促す木製キャラクターとして、各種のイベントにおける環境モニュメント及びキャッチグッズ的役割としての効果が期待される。
【考案を実施するための最良の形態】
【００１４】
本考案の木製全方位ヤジロベエは、主要素材に可能な限り自然素材（木材及び竹材）を使用し、その全てにおいて十分なる乾燥管理材であることが、製品化後の長期使用に伴う経年変化を軽減させて望ましい結果を生み出す条件となる。
試作過程における参考事例として、使用素材の木材は樹種を問わず含水率の（平均）基準を１５％以下とし、両椀アームは柾材のロクロ加工棒を加熱曲げ加工とする。（竹材使用の場合は、育成年数５〜６年経過の真竹及び孟宗竹の伐採期を９月〜１０月とし、加熱による脱脂曲げ加工とする）
尚、本考案の木製全方位ヤジロベエにおいては木製バランス玩具の品質保持の性格上構成素材に関する物性条件は重要課題であり、形状（デザイン）及び製品規模（サイズ）に関しては製作基準の範囲で対応可能とする。
【実施例】
【００１５】
本考案の木製全方位ヤジロベエは、各種の試作体によって実物均衡テストと改良を重ねて問題点を改善することで、製作工程に関連する課題は既に解消済みであり、製造上の主要基準は整理されている。
【産業上の利用可能性】
【００１６】
木製玩具の振興、環境教育教材、木製インテリア、環境キャラクター、地域興しイベントに関連する木製環境グッズ等としての利用。
【図面の簡単な説明】
【００１７】
【図１】木製全方位ヤジロベエの全体イメージ図。
【図２】バランスＢ貫通孔とアームＣとの関連図。
【符号の説明】
【００１８】
Ａ  木製中央バランサーＡ
Ｂ１木製バランサーＢ１
Ｂ２木製バランサーＢ２
Ｃ１湾曲アームＣ１
Ｃ２湾曲アームＣ２
Ｄ  自立支点
Ｅ  前後均衡調整回転可動
Ｆ  左右平衡調整左右可動
【図１】
0003138641.tif 000003
【図２】
0003138641.tif 000004